【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
下記の式（１）で表される光学活性化合物。
2005281223.tif 000001
−Ｚ−（Ａ−Ｚ）ｒ−Ｙ−Ｒa （Ｔ１）
−Ｚ−（Ａ−Ｚ）ｒ−Ｒb   （Ｔ２）
2005281223.tif 000002
ここで、Ｑ1及びＱ2は独立して、式（Ｔ１）または（Ｔ２）で表される基であり；Ｒaは式（Ｐ１）〜（Ｐ８）で表される何れかの重合性基であり、Ｗは独立に、水素、ハロゲン、炭素数１〜３のアルキルまたは炭素数１〜３のフルオロアルキルであり；Ｒbは水素、ハロゲン、−ＣＮ、または炭素数１〜1０のアルキルであり、このアルキルにおいて任意の−ＣＨ2−は−Ｏ−、−Ｓ−、−ＣＯ−、−ＣＨ＝ＣＨ−、若しくは−Ｃ≡Ｃ−で置き換えられてもよく、そして任意の水素はハロゲン若しくはＣＮで置き換えられてもよく；Ａは独立して、１，４−シクロヘキシレン、１，４−シクロヘキセニレン、１，４−フェニレン、ナフタレン−２，６−ジイルまたはテトラヒドロナフタレン−２，６−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキル若しくは炭素数１〜５のハロゲン化アルキルで置き換えられてもよく；Ｚは独立して、単結合または炭素数１〜２０を有するアルキレンであり、このアルキレンにおいて任意の−ＣＨ2−は、−Ｏ−、−ＣＯ−、−ＣＯＯ−、−ＯＣＯ−、−ＣＨ＝ＣＨ−、−ＣＦ＝ＣＦ−若しくは−Ｃ≡Ｃ−で置き換えられてもよく、そして任意の水素はハロゲンで置き換えられてもよく；Ｙは独立して、単結合または炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；ｒは１〜５の整数である。ただし、Ｑ1及びＱ2が独立して、式（Ｔ１）で表される基であるとき１，２−シクロヘキシレン環に隣接するＺは−ＯＣＯ−または−ＯＣＨ２−ではなく、Ｑ１及びＱ２が同時に式（Ｔ２）で表される基であり、ｒが１、１，２−シクロへキシレン環に隣接するＺが−ＣＯＯ−、Ｒｂに隣接するＺが単結合、Ａが１，４−フェニレン、３−メチル−６−ｉ−プロピル−１，４−シクロヘキシレンまたは２，６−ナフタニレンのときＲｂは水素ではなく、Ｑ１及びＱ２が同時に式（Ｔ２）で表される基であり、ｒが１、１，２−シクロへキシレン環に隣接するＺが−ＣＯＯ−、Ｒｂに隣接するＺが単結合、Ａが２，６−ジメチル−１，４−フェニレンのときＲｂはメチルではなく、Ｑ１及びＱ２が同時に式（Ｔ２）で表される基であり、ｒが１、１，２−シクロへキシレン環に隣接するＺが−ＯＣＯ−、Ｒｂに隣接するＺが単結合、Ａが１，４−フェニレンのときＲｂは水素ではなく、Ｑ１及びＱ２が同時に式（Ｔ２）で表される基であり、ｒが１、１，２−シクロへキシレン環に隣接するＺが−ＣＯ−、Ｒｂに隣接するＺが単結合、Ａが１，４−フェニレンのときＲｂは水素ではなく、Ｑ１及びＱ２が独立して式（Ｔ２）で表される基であり、ｒが１、１，２−シクロへキシレン環に隣接する一方のＺが−ＣＯ−、他方のＺが−ＣＨ２−、Ｒｂに隣接するＺが単結合、Ａが１，４−フェニレンのときＲｂは水素ではない。
【請求項２】
Ａは独立して、１，４−シクロヘキシレンまたは１，４−フェニレンであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキル若しくは炭素数１〜５のハロゲン化アルキルで置き換えられてもよい請求項１に記載の光学活性化合物。
【請求項３】
Ｚは独立して、単結合または炭素数１〜２０を有するアルキレンであり、このアルキレンにおいて任意の−ＣＨ2−は、−Ｏ−、−ＣＯ−、−ＣＯＯ−若しくは−ＯＣＯ−で置き換えられてもよく、そして任意の水素はハロゲンで置き換えられてもよい請求項１または２に記載の光学活性化合物。
【請求項４】
Ｙは独立して、単結合または炭素数１〜２０のアルキレンであり、これらのアルキレンにおいて任意の−ＣＨ2−は−Ｏ−、−ＣＯＯ−、若しくは−ＯＣＯ−で置き換えられてもよい請求項１〜３の何れか１項に記載の光学活性化合物。
【請求項５】
ｒが１である請求項１〜４の何れか１項に記載の光学活性化合物。
【請求項６】
ｒが２である請求項１〜４の何れか１項に記載の光学活性化合物。
【請求項７】
ｒが３である請求項１〜４の何れか１項に記載の光学活性化合物。
【請求項８】
Ｑ1及びＱ2が独立して、式（Ｔ１）で表される基の何れかである請求項１〜７の何れか１項に記載の光学活性化合物。
【請求項９】
Ｒaが式（Ｐ２）〜（Ｐ６）で表される基の何れかである請求項１〜８の何れか１項に記載の光学活性化合物。
【請求項１０】
Ｗが水素、フッ素、塩素、メチル、エチルまたはトリフルオロメチルである請求項１〜９の何れか１項に記載の光学活性化合物。
【請求項１１】
Ｑ1及びＱ2が独立して、式（Ｔ２）で表される基の何れかである請求項１〜７の何れか１項に記載の光学活性化合物。
【請求項１２】
Ｒbが水素、フッ素、塩素、−ＣＮまたは炭素数１〜１０のアルキルであり、このアルキルにおいて任意の−ＣＨ2−は−Ｏ−、−ＣＯ−若しくは−ＣＨ＝ＣＨ−で置き換えられてもよく、そして任意の水素は−Ｆ若しくは−ＣＮで置き換えられてもよい請求項１〜７および請求項１１の何れか１項に記載の光学活性化合物。
【請求項１３】
少なくとも２つの化合物を含有し、少なくとも１つの化合物が請求項１〜１２の何れか１項に記載の化合物である液晶組成物。
【請求項１４】
請求項１〜１２の何れか１項に記載の化合物から選択された化合物が３〜９０重量％であり、その他の化合物として、式（Ｍ１）及び（Ｍ２）で表される化合物から選択された少なくとも１つの化合物を１０〜９７重量％含有する化合物である請求項１３に記載の液晶組成物。
Ｒc−Ｘa−（Ａa−Ｚa）ｓ−Ａa−Ｘa−Ｐ1 （Ｍ１）
Ｐ1−Ｘa−（Ａa−Ｚa）ｓ−Ａa−Ｘa−Ｐ1 （Ｍ２）
2005281223.tif 000003
ここで、Ｐ１は、式（Ｐ９）〜（Ｐ１２）で表される基の何れかであり；Ｗ１は、水素、ハロゲン、炭素数１〜３のアルキルまたは炭素数１〜３のフルオロアルキルであり；Ｒcは、水素、フッ素、塩素、−ＣＮまたは炭素数１〜２０のアルキルであり、このアルキルにおいて、任意の−ＣＨ２−は、−Ｏ−、−ＣＯＯ−、若しくは−ＯＣＯ−で置き換えられてもよく、任意の水素はハロゲンで置き換えられてもよく；Ａaは独立して、１，４−シクロへキシレン、１，４−フェニレン、１，４−シクロヘキセニレン、ピリジン−２，５−ジイル、ピリミジン−２，５−ジイル、ナフタレン−２，６−ジイル、またはフルオレン−２，７−ジイルであるが、任意の水素はハロゲン、炭素数１〜３のアルキル、若しくは炭素数１〜３のハロゲン化アルキルで置き換えられてもよく；Ｘaは独立して、単結合、または炭素数１〜２０のアルキレンであり、このアルキレン中の任意の−ＣＨ２−は、−Ｏ−、−ＣＯＯ−若しくはＯＣＯ−で置き換えられてもよく；Ｚaは独立して、単結合、−ＣＯＯ−、−ＯＣＯ−、−ＣＨ２ＣＨ２−、−ＣＨ＝ＣＨ−、−Ｃ≡Ｃ−、−ＣＨ２Ｏ−、−ＯＣＨ２−、−ＣＦ２Ｏ−、−ＯＣＦ２−、−ＣＨ２ＣＨ２ＣＯＯ−、−ＣＯＯＣＨ２ＣＨ２−、−ＣＨ＝ＣＨＣＯＯ−、または−ＯＣＯＣＨ＝ＣＨ−であり；ｓは独立して、１〜３の整数である。
【請求項１５】
化合物の全てが重合性化合物である請求項１３または１４に記載の液晶組成物。
【請求項１６】
式（Ｍ１）または（Ｍ２）で表される化合物から選択された少なくとも１つの重合性化合物が、式（Ｍ１ａ）、（Ｍ１ｂ）、（Ｍ１ｃ）、（Ｍ２ａ）、（Ｍ２ｂ）、または（Ｍ２ｃ）で表される化合物である請求項１４に記載の液晶組成物。
2005281223.tif 000004
ここで、Ｐ１は独立して、式（Ｐ９）〜（Ｐ１２）で表される基であり；Ｒcは独立して、水素、フッ素、塩素、−ＣＮまたは炭素数１〜２０のアルキルであり、このアルキルにおいて、任意の−ＣＨ２−は、−Ｏ−、−ＣＯＯ−、若しくはＯＣＯ−で置き換えられてもよく、任意の水素はハロゲンで置き換えられてもよく；Ａbは独立して、１，４−シクロへキシレン、または１，４−フェニレンであり；Ｗ２は独立してハロゲン、炭素数１〜３のアルキル、または炭素数１〜３のハロゲン化アルキルであり；Ｘaは独立して単結合、炭素数１〜２０のアルキレンであり、このアルキレン中の任意の−ＣＨ２−は、−Ｏ−、−ＣＯＯ−または−ＯＣＯ−で置き換えられてもよく；ｐおよびｑは独立して、０または１であり、ｍは０〜５の整数である。
【請求項１７】
請求項１３〜１６の何れか１項に記載の組成物を重合することで得られる重合体。
【請求項１８】
重量平均分子量が５００〜１，０００，０００である請求項１７に記載の重合体。
【請求項１９】
重量平均分子量が１，０００〜５００，０００である請求項１７に記載の重合体。
【請求項２０】
請求項１３〜１６の何れか１項に記載の組成物を配向させた後、電磁波の照射により液晶の配向を固定化した光学異方性を有する成形体。
【請求項２１】
固定化した液晶の配向がツイスト配向である請求項２０に記載の成形体。
【請求項２２】
請求項２０または請求項２１に記載の成形体からなる光学素子。
【請求項２３】
波長３５０〜７５０ｎｍのうち、一部またはすべての領域の光を選択的に反射する可視光域にて円偏光二色性を示す請求項２２に記載の光学素子。
【請求項２４】
波長１００〜３５０ｎｍの紫外光域にて円偏光二色性を示す請求項２２に記載の光学素子。
【請求項２５】
請求項１７〜１９に記載の重合体、請求項２０及び２１に記載の成形体および請求項２２〜２４に記載の光学素子から選択された少なくとも１つを含む液晶表示素子。
【請求項２６】
化合物の全てが非重合性化合物である請求項１３に記載の液晶組成物。
【請求項２７】
０．１〜２０重量％の請求項１〜７および請求項１１〜１２の何れか１項に記載の化合物の少なくとも１つと、８０〜９９．９重量％の式（Ｍ３）で表される化合物から選択される少なくとも１つの化合物とを含有する請求項２６に記載の液晶組成物。
Ｒd−（Ａc−Ｚb）ｎ−Ｒd   （Ｍ３）
ここで、Ｒdは、水素、ハロゲン、−Ｃ≡Ｃ−ＣＮ、−ＣＮまたは炭素数１〜２０のアルキルであり、このアルキルにおいて任意の−ＣＨ２−は、−Ｏ−、−Ｓ−、−ＣＯ−、−ＣＨ＝ＣＨ−、−ＣＦ＝ＣＦ−、−Ｃ≡Ｃ−、若しくはＳｉＨ２−で置き換えられてもよく、そして任意の水素はハロゲンで置き換えられてもよく；Ａcは独立して、１，４−シクロヘキシレン、１，４−シクロヘキセニレン、１，４−フェニレン、デカヒドロナフタレン−２，６−ジイル、１，２，３，４−テトラヒドロナフタレン−２，６−ジイル、またはナフタレン−２，６−ジイルであり、これらの環において任意の−ＣＨ２−は、−Ｏ−、−Ｓ−、−ＣＯ−、若しくはＳｉＨ２−で置き換えられてもよく、任意の−ＣＨ２ＣＨ２−は−ＣＨ＝ＣＨ−で置き換えられてもよく、１，４−フェニレンにおいて任意の−ＣＨ＝は−Ｎ＝で置き換えられてもよく、そしてこれらの環において任意の水素はハロゲン、−ＣＦ３、−ＣＨＦ２、−ＣＨ２Ｆ、−ＯＣＦ３、−ＯＣＨＦ２、若しくはＯＣＨ２Ｆで置き換えられてもよく；Ｚbは独立して、単結合または炭素数１〜４のアルキレンであり、このアルキレンにおいて任意の−ＣＨ２−は−Ｏ−、−Ｓ−、−ＣＨ＝ＣＨ−、−ＣＦ＝ＣＦ−、−Ｃ≡Ｃ−、−ＣＯ−、若しくはＳｉＨ２−で置き換えられてもよく、そして任意の水素はハロゲンで置き換えられてもよく；そしてｎは２、３または４である。
【請求項２８】
式（Ｍ３）で表される化合物から選択された少なくとも１つの化合物が式（２）、（３）または（４）で表される化合物である請求項２７に記載の液晶組成物。
2005281223.tif 000005
ここで、Ｒ１は独立して、炭素数１〜１０のアルキルであり、このアルキルにおいて任意の−ＣＨ２−は−Ｏ−または−ＣＨ＝ＣＨ−で置き換えられてもよく、そして任意の水素はフッ素で置き換えられてもよく；Ｘ１は独立して、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；環Ｂおよび環Ｄは独立して１，４−シクロヘキシレン、１，３−ジオキサン−２，５−ジイルまたは任意の水素がフッ素で置き換えられてもよい１，４−フェニレンであり、環Ｅは１，４−シクロヘキシレンまたは任意の水素がフッ素で置き換えられてもよい１，４−フェニレンであり；Ｚ４およびＺ５は独立して、−（ＣＨ２)２−、−（ＣＨ２)４−、−ＣＯＯ−、−ＣＦ２Ｏ−、−ＯＣＦ２−、−ＣＨ＝ＣＨ−、または単結合であり；そしてＬ１およびＬ２は独立して、水素またはフッ素である。
【請求項２９】
式（Ｍ３）で表される化合物から選択された少なくとも１つの化合物が式（５）または（６）で表される化合物である請求項２７または２８に記載の液晶組成物。
2005281223.tif 000006
ここで、Ｒ２およびＲ３は独立して炭素数１〜１０のアルキルであり、このアルキルにおいて任意の−ＣＨ２−は−Ｏ−または−ＣＨ＝ＣＨ−で置き換えられてもよく、そして任意の水素はフッ素で置き換えられてもよく；Ｘ２は−ＣＮまたは−Ｃ≡Ｃ−ＣＮであり；環Ｇは１，４−シクロヘキシレン、１，４−フェニレン、１，３−ジオキサン−２，５−ジイル、またはピリミジン−２，５−ジイルであり；環Ｊは１，４−シクロヘキシレン、ピリミジン−２,５−ジイルまたは任意の水素がフッ素で置き換えられてもよい１，４−フェニレンであり；環Ｋは１，４−シクロヘキシレンまたは１，４−フェニレンであり；Ｚ６は−（ＣＨ２）２−、−ＣＯＯ−、−ＣＦ２Ｏ−、−ＯＣＦ２−、または単結合であり；Ｌ３、Ｌ４およびＬ５は独立して、水素またはフッ素であり；そしてｂ、ｃおよびｄは独立して０または１である。
【請求項３０】
式（Ｍ３）で表される化合物から選択された少なくとも１つの化合物が式（７）、（８）、（９）、（１０）または（１１）で表された化合物である請求項２７〜２９の何れか１項に記載の液晶組成物。
2005281223.tif 000007
ここで、Ｒ４およびＲ５は独立して炭素数１〜１０のアルキルであり、このアルキルにおいて任意の−ＣＨ２−は−Ｏ−または−ＣＨ＝ＣＨ−で置き換えられてもよく、任意の水素はフッ素で置き換えられてもよく、そしてＲ５は独立して、フッ素であってもよく；環Ｍおよび環Ｐは独立して、１，４−シクロヘキシレン、１，４−フェニレンまたはデカヒドロ−２，６−ナフチレンであり；Ｚ７およびＺ８は独立して、−（ＣＨ２)２−、−ＣＯＯ−または単結合であり；そしてＬ６およびＬ７は独立して水素またはフッ素であるが、Ｌ６とＬ７の少なくとも一つはフッ素である。
【請求項３１】
式（１２）、（１３）および（１４）で表される化合物の群から選択された少なくとも一つの化合物をさらに含有する請求項２７〜３０の何れか１項に記載の液晶組成物。
2005281223.tif 000008
ここで、Ｒ６およびＲ７は独立して、炭素数１〜１０のアルキルであり、このアルキルにおいて任意の−ＣＨ２−は、−Ｏ−または−ＣＨ＝ＣＨ−で置き換えられてもよく、そして任意の水素はフッ素で置き換えられてもよく；環Ｑ、環Ｔおよび環Ｕは独立して、１，４−シクロヘキシレン、ピリミジン−２、５−ジイル、または任意の水素がフッ素で置き換えられてもよい１，４−フェニレンであり；そしてＺ９およびＺ１０は独立して−Ｃ≡Ｃ−、−ＣＯＯ−、−（ＣＨ２）２−、−ＣＨ＝ＣＨ−、または単結合である。
【請求項３２】
請求項２７〜３１の何れか１項に記載の液晶組成物を含有する液晶表示素子。
【手続補正２】
【補正対象書類名】明細書
【補正対象項目名】００１１
【補正方法】変更
【補正の内容】
【００１１】
ここで、Ｑ1及びＱ2は独立して、式（Ｔ１）または（Ｔ２）で表される基であり；Ｒaは式（Ｐ１）〜（Ｐ８）で表される何れかの重合性基であり、Ｗは独立に、水素、ハロゲン、炭素数１〜３のアルキルまたは炭素数１〜３のフルオロアルキルであり；Ｒbは水素、ハロゲン、−ＣＮ、または炭素数１〜1０のアルキルであり、このアルキルにおいて任意の−ＣＨ2−は−Ｏ−、−Ｓ−、−ＣＯ−、−ＣＨ＝ＣＨ−、若しくはＣ≡Ｃ−で置き換えられてもよく、そして任意の水素はハロゲン若しくはＣＮで置き換えられてもよく；Ａは独立して、１，４−シクロヘキシレン、１，４−シクロヘキセニレン、１，４−フェニレン、ナフタレン−２，６−ジイルまたはテトラヒドロナフタレン−２，６−ジイルであり、これらの環において任意の−ＣＨ２−は−Ｏ−で置き換えられてもよく、任意の−ＣＨ＝は−Ｎ＝で置き換えられてもよく、これらの環において任意の水素はハロゲン、炭素数１〜５のアルキル若しくは炭素数１〜５のハロゲン化アルキルで置き換えられてもよく；Ｚは独立して、単結合または炭素数１〜２０を有するアルキレンであり、このアルキレンにおいて任意の−ＣＨ2−は、−Ｏ−、−ＣＯ−、−ＣＯＯ−、−ＯＣＯ−、−ＣＨ＝ＣＨ−、−ＣＦ＝ＣＦ−若しくは−Ｃ≡Ｃ−で置き換えられてもよく、そして任意の水素はハロゲンで置き換えられてもよく；Ｙは独立して、単結合または炭素数１〜２０のアルキレンであり、これらのアルキレンにおいて任意の−ＣＨ2−は−Ｏ−、−Ｓ−、−ＣＯＯ−、若しくは−ＯＣＯ−で置き換えられてもよく；ｒは１〜５の整数である。ただし、Ｑ1及びＱ2が独立して、式（Ｔ１）で表される基であるとき１，２−シクロヘキシレン環に隣接するＺは−ＯＣＯ−または−ＯＣＨ２−ではなく、Ｑ１及びＱ２が同時に式（Ｔ２）で表される基であり、ｒが１、１，２−シクロへキシレン環に隣接するＺが−ＣＯＯ−、Ｒｂに隣接するＺが単結合、Ａが１，４−フェニレン、３−メチル−６−ｉ−プロピル−１，４−シクロヘキシレンまたは２，６−ナフタニレンのときＲｂは水素ではなく、Ｑ１及びＱ２が同時に式（Ｔ２）で表される基であり、ｒが１、１，２−シクロへキシレン環に隣接するＺが−ＣＯＯ−、Ｒｂに隣接するＺが単結合、Ａが２，６−ジメチル−１，４−フェニレンのときＲｂはメチルではなく、Ｑ１及びＱ２が同時に式（Ｔ２）で表される基であり、ｒが１、１，２−シクロへキシレン環に隣接するＺが−ＯＣＯ−、Ｒｂに隣接するＺが単結合、Ａが１，４−フェニレンのときＲｂは水素ではなく、Ｑ１及びＱ２が同時に式（Ｔ２）で表される基であり、ｒが１、１，２−シクロへキシレン環に隣接するＺが−ＣＯ−、Ｒｂに隣接するＺが単結合、Ａが１，４−フェニレンのときＲｂは水素ではなく、Ｑ１及びＱ２が独立して式（Ｔ２）で表される基であり、ｒが１、１，２−シクロへキシレン環に隣接する一方のＺが−ＣＯ−、他方のＺが−ＣＨ２−、Ｒｂに隣接するＺが単結合、Ａが１，４−フェニレンのときＲｂは水素ではない。
以  上